(57)【要約】【課題】設置が容易で、設置場所を汚したり劣化させたりすることがなく、かつ土壌の水はけが良く、散水の手間を軽減することができる構造を持ちながら、勾配や段差のある所でも水平に設置できる植物の栽培用容器を提供する。【解決手段】植物の栽培用容器１が、底板２と、底板２の周縁に立ち上げて設けた側板３と、側板３の所定高さ位置で底板２と対面して配置され、複数の小孔４ａ、４ａ…を有する仕切板４と、仕切板４を所定高さ位置に支持する支持部と、底板２から下方に突出して設けられた複数の脚部６と、脚部６の突出高さを調節する高さ調節機構１３とを備える構成とする。【選択図】      図１
2005013026.tif 000002
【特許請求の範囲】
【請求項１】
底板と、前記底板の周縁に立ち上げて設けた側板と、前記側板の所定高さ位置で前記底板と対面して配置され、複数の小孔を有する仕切板と、前記仕切板を所定高さ位置に支持する支持部と、前記底板から下方に突出して設けられた複数の脚部と、前記脚部の突出高さを調節する高さ調節機構とを備えることを特徴とする植物の栽培用容器。
【請求項２】
前記側板は、対面して隣接する他の栽培用容器の側板を連結する連結機構を備えると共に、前記仕切板と底板の間の位置で、対面して隣接する他の栽培用容器の側板を連通して形成された連通路を備えることを特徴とする請求項１に記載の植物の栽培用容器。
【請求項３】
前記側板は、当該側板より上方に突出し、結合手段を介して設けられた側面板を備えることを特徴とする請求項１または請求項２に記載の植物の栽培用容器。
【請求項４】
前記仕切板は、その上に、ブラックシリカの粉末を挟持する少なくとも２枚の不織布を相互に固着してなるシートを備えることを特徴とする請求項１から請求項３のいずれか一項に記載の植物の栽培用容器。
【発明の詳細な説明】
【０００１】
【発明の属する技術分野】
本発明は、植物の栽培に用いられる栽培用容器に係り、特に脚部の高さ調節が行える植物の栽培用容器に関する。
【０００２】
【従来の技術】
一般に、建物の屋上やベランダで植物を栽培する場合に、屋上やベランダに直接土壌を盛る方法、あるいは防水や根の侵入を抑える防根の作用をもつシートを敷設した後に土壌を盛る方法は従来から行われている。
【０００３】
また下部に貯水部を設け、上部に土壌を入れた植物の栽培用容器を設置する方法も行われている。例えば、下部に水受け皿を備え、上部に栽培用の土壌を入れる栽培容器を備える培地底潅水大型栽培容器において、上部の栽培容器の底部に複数の穴を開け、その穴から綿束導体を水受け皿に垂らし、毛管現象で水を吸い上げる構造とした栽培容器が開示されている（特許文献１参照）。この方法によると、下部に貯留した水を上部の土壌に給水できるので、水やりの手間を省くことができる。
【０００４】
さらに複数の栽培容器を連結し、所要の広さの庭園や菜園などを簡単に作ることができる庭土収納ユニットが開示されている（特許文献２参照）。この容器には開口端部にフラップが折り上げ下げ可能に取り付けられており、フラップを折り上げて開口端部より上まで土壌を盛り、設置後にフラップを容器外側に折り下げて複数の容器を連結し、土壌を平らにすることで、所要の広さの庭園を造ることができる。また、コーナー部、外周部においてフラップを折り上げたままにすることで、盛り上がっている土壌の崩れを防止することができる。
【０００５】
また屋上に栽培用基礎部材を設置し、上に透水性シートを敷き、その上に盛土する方法が行われている。例えば、屋上等で栽培を行う時の土壌の下に設置する栽培用基礎部材において、央部に保水用凹部を設けたものが開示されている（特許文献３参照）。ここでは栽培用基礎部材を複数設置し、隣接する栽培用基礎部材を連結させ、保水用凹部を連通させる連通口を設ける構造としている。そのため、連通口を通して水が移動するので、まんべんなく散水しなくても各基礎部材の保水凹部の水位を等しくすることができる。
【０００６】
【特許文献１】
特開２００２−２７８３４号公報（全文）
【特許文献２】
特開平７−３２７５０１号公報（全文）
【特許文献３】
特開平８−２３２４１２号公報（全文）
【０００７】
【発明が解決しようとする課題】
しかし、屋上等に直接土壌を盛る方法、あるいは防水、防根のシートを敷設して土壌を盛る方法では、土壌を盛るための構造がないところに土壌を盛らなくてはならず、作業が大変である。また屋上等の防水を施している部分に直接あるいはシートを介して土壌を盛ると、防水加工の劣化が促進されてしまう。さらに、劣化を防ぐには防水加工を３、４重に施さなければならず、それには多大なコストがかかる。そして一般的に屋上には排水口が１〜数個しかないので、直接あるいはシートを介して屋上に土壌を盛ると、水はけが悪くなり、栽培した植物が根腐れを起こすことがある。
【０００８】
また一般的に屋上やベランダには排水のために勾配がつけてあり、また排水溝のような段差も多く存在するため、上部に栽培部、下部に貯水部を備える栽培用容器を設置すると、場合によっては栽培用容器が傾いて設置されて不安定になるうえに、特に栽培用容器の底面積が大きい場合には、貯水部の水が偏り、栽培部の土壌に均一に水が供給されなくなることがある。
【０００９】
さらに、特許文献３のように貯水部を連通させるものでは、設置面に勾配がある場合には、より低い貯水部に水が流れてしまう。そのため緩やかな勾配であっても、水のない貯水部ができてしまい、その上の栽培部の土壌に給水することができなくなることがある。
【００１０】
また特許文献２のように栽培用容器同士を連結する構造のものでは、設置面に段差等がある所に複数の栽培用容器を設置すると、隣接する栽培用容器の高さや傾きが揃わない。それらを無理に揃えて連結すると、栽培用容器の全ての脚部が均一に設置面に載置されず、一部の脚部が設置面から浮いた状態で設置されるので、設置面に接触している一部の脚部に荷重が集中する。また隣接する栽培用容器との連結部にも負荷がかかるため、栽培用容器上部から大きな荷重がかかった場合には、脚部や連結部が変形あるいは破損する恐れがある。
【００１１】
また特許文献２の容器は、外周部のフラップを折り上げることで、土壌の崩れを防止することができるものであるが、その構造上、外周部に折り上げて並設されたフラップとフラップの間に隙間が開くものである。そのため、その隙間から土壌がこぼれ落ちることがある。さらに、フラップは容器と一体化されているため、土壌を所定の深さ盛る場合は、それに合うフラップを備える容器を用意する必要があり、しかも容器設置後に土壌の深さを変更することはできない。
【００１２】
本発明は前記従来技術の課題を除くために成されたもので、設置が容易で、設置場所を汚したり劣化させたりすることがなく、かつ土壌の水はけが良く、散水の手間を軽減することができる構造を持ちながら、勾配や段差のある所でも水平に設置できる植物の栽培用容器を提供することを目的としている。また、土壌を盛る深さを自由に設定でき、かつ土壌が栽培用容器の外にこぼれ落ちず、さらに栽培部の土壌が貯水部に落ちるのを防ぐと共に、遠赤外線により植物の発育や発芽を促進することができる植物の栽培用容器を提供することを目的としている。
【００１３】
また本発明の他の課題は、複数の栽培用容器を連結して、任意の広さの栽培スペースを作ることができ、かつ勾配や段差のある所でも、隣接する栽培用容器同士の高さを一致させて連結できる植物の栽培用容器を提供することである。また複数の栽培用容器を連結しても、各栽培用容器の側板の上端部が栽培スペース内の土壌表面から突出せず、一連の栽培スペースを形成できる栽培用容器を提供することである。
【００１４】
【課題を解決するための手段】
前記課題を解決するため、請求項１に記載の栽培用容器は、底板と、前記底板の周縁に立ち上げて設けた側板と、前記側板の所定高さ位置で前記底板と対面して配置され、複数の小孔を有する仕切板と、前記仕切板を所定高さ位置に支持する支持部と、前記底板から下方に突出して設けられた複数の脚部と、前記脚部の突出高さを調節する高さ調節機構とを備える構成とした。
【００１５】
このような構成によれば、仕切板の上を土壌を入れて植生する栽培部、下を貯水部とし、栽培部の土壌に多量の水が散水された場合には、仕切板の小孔を通して貯水部に余剰水を貯めることができる。そのため栽培部の土壌の水はけを良くすることができ、かつ貯水部に貯留した水を上部の土壌に給水できるので、散水の手間を軽減することができる。また水が外にこぼれない構造であるので、栽培用容器の設置場所を汚さない。また脚部を備えるため、栽培用容器の底面と設置面との間に空間を形成することができる。それにより、設置面の防水を劣化させることなく植物を栽培することができる。さらに脚部の高さ調節機構を有するので、排水溝や排水口のような段差や勾配のあるところでも水平に設置することができる。
【００１６】
また、請求項２に記載の栽培用容器は、請求項１に記載の栽培用容器において、前記側板は、対面して隣接する他の栽培用容器の側板を連結する連結機構を備えると共に、前記仕切板と底板の間の位置で、対面して隣接する他の栽培用容器の側板を連通して形成された連通路を備える構成とした。
【００１７】
このような構成によれば、複数の栽培用容器を隣接させて設置し、対面して隣接する栽培用容器の側板を連結できるので、任意の広さの栽培スペースを作ることができる。また脚部の底板からの突出高さを調節できるので、勾配や段差のある所でも栽培用容器の高さを一致させて連結できる。また側板は仕切板と底板の間の位置で、対面して隣接する他の栽培用容器の側板を連通する連通路を有するので、各栽培容器の貯水部が連通され、連通路を通して貯水部内の水が移動する。さらに脚部の高さ調節機構により、栽培用容器を水平に設置できるので、連通した貯水部内の水位を均一にできる。
【００１８】
さらに、請求項３に記載の栽培用容器は、請求項１または請求項２に記載の栽培用容器において、前記側板は、当該側板より上方に突出し、結合手段を介して設けられた側面板を備える構成とした。
【００１９】
本発明に係る栽培用容器は、栽培用容器を単一で使用する場合には全ての側板に、複数の栽培用容器を連結させる場合には、隣接する他の栽培用容器の側板と非対応になる側板に、前記側板より上方に突出する側面板を、結合手段を介して設けるものである。このような構成によれば、任意の高さの側面板を取り付けられるので、所望の深さの栽培部を有する栽培用容器にすることができる。また隣接する他の栽培用容器の側板と非対応になる側板に側面板を設けるので、外周が側面板に囲まれ、土壌が栽培用容器からこぼれ落ちない構造になる。さらに外周の側面板の上端部は、側板の上端部より高い位置にあるので、側板の上端部より高い位置まで土壌を盛っても側面板によって土壌を支えることができる。このように土壌を盛ると各栽培用容器の側板が土壌表面に突出せず、複数の栽培用容器を連結した場合にも、側面板に囲まれた一連の栽培スペースとすることができる。
【００２０】
また、請求項４に記載の栽培用容器は、請求項１から請求項３のいずれか一項に記載の栽培用容器において、前記仕切板は、その上に、ブラックシリカの粉末を挟持する少なくとも２枚の不織布を相互に固着してなるシートを備える構成とした。
【００２１】
このような構成によれば、ブラックシリカを挟持させたシートを容易に作成することができ、さらにこのシートを仕切板の上に設置することで、栽培部の土壌が仕切板の小孔から貯水部にこぼれ落ちるのを防げると同時に、ブラックシリカから発生する遠赤外線により植物の生長を促進し、また冬季などの気温が低い時期に、芝生のような寒さに弱い植物を枯れにくくさせることができる。なお、本発明で使用するブラックシリカは、黒鉛珪石とも呼ばれ、ＳｉＯ２のような珪酸を主成分とし、少量の炭素（グラファイト）、Ａｌ２Ｏ３を含むものであり、遠赤外線を放出することが知られている。
【００２２】
【発明の実施の形態】
以下、本発明の実施の形態を、図を用いて説明する。図１（ａ）は第１の実施の形態に係る栽培用容器の構造を示す部分破断斜視図、図１（ｂ）は（ａ）に示すＡ−Ａ線の縦断面図である。
【００２３】
図１（ｂ）に示すように、栽培用容器１は底板２と側板３と、その内部に、支持部である支柱２ａおよび側板３に形成された段差部３ａを介して設置される仕切板４と、底板２から下方に突出する脚部６とを備えている。材質は、例えば、レジンコンクリート、木、樹脂、ステンレス等を使用することができるが、植物と土壌、水の重量を支えられる強度を持つものであれば他の材質でも良い。底板２および側板３によって区画された栽培用容器１の内部において、仕切板４の上を栽培部７、下を貯水部８としている。仕切板４は複数の小孔４ａ、４ａ…を有し、底板２の上面から上方に突出して設けられた支柱２ａと側板３に形成された段差部３ａとによって支持されている。また仕切板４は支柱２ａのみ、あるいは側板３の段差部３ａのみによって支持される構造であっても良い。
【００２４】
また側板３は、仕切板４より上の位置において側板３を水平方向に貫通する固定口１８ａと、この固定口１８ａより下の位置において栽培用容器１の外側に凸設された肩部３ｂとを備えている。この肩部３ｂの上に、側板３と略同一の水平方向の長さを有する側面板２３を、側板３より上方に突出するように載置し、固定口１８ａと側面板２３の固定口を介して、結合手段である固定用トラスネジ１８ｂと固定用袋ナット１８ｃにより、この側面板２３を結合しても良い。このとき、側板３には任意の高さの側面板２３を取り付けられるので、栽培部７の深さを自由に設定することができる。
【００２５】
図１（ａ）に示すように、脚部６の高さ調節機構１３は、側板３のコーナー部分の内部に設けられ、側板３の上面と底面５とを貫通するネジ孔３ｃと、このネジ孔３ｃと螺合し、脚部６に形成された雄ネジ部６ｂとを備えている。また脚部６は、雄ネジ部６ｂと、雄ネジ部６ｂの上端に凹設された溝６ｃと、下端に回動自在に設けられた円板状の台座６ａを備えている。その結果、この雄ネジ部６ｂを回転させることができることから、各脚部６の底板２から下方に突出する突出高さを変えることができ、栽培用容器１の高さと水平の調節をすることができる。またネジ孔３ｃの上部開口から溝６ｃにマイナスドライバー等を差し込んで雄ネジ部６ｂを回転させられ、栽培用容器１を設置した後でも、栽培用容器１の上部から容易に高さ調節をすることができる。高さ調節をした後には、ネジ孔３ｃの上部開口をキャップ１５で塞ぐことで、ネジ孔３ｃの内部に土壌等が入るのを防ぐことができる。また、高さ調節機構１３は各脚部６の突出高さを変られるものであれば良く、例えば、側板３のコーナー部分の内部に設けられ、底面５を貫通する孔（図示せず）と、この孔によって上下方向に変位可能に嵌合された柱状の脚部と、この脚部を側板３のコーナー部側あるいは貯水部８側に形成した横孔（図示せず）から押圧して固定する止めネジ（図示せず）とから構成され、その止めネジで脚部を任意の高さ位置に固定できるようにしても良い。
【００２６】
このように構成した栽培用容器１を、例えば、ベランダ等に設置し、栽培用容器１の高さと水平を脚部６の高さ調節機構１３を介して調節した後に、栽培部７に土壌１１を入れて、植物を栽培することができる。また栽培部７に雨水が注がれたり散水された際には、余剰の水が仕切板４の小孔４ａ、４ａ…を通して貯水部８に貯留される。貯水部８に貯留された水１２は蒸発し、土壌１１に給水されるので、頻繁に散水する必要がない。また、仕切板４の小孔４ａ、４ａ…から不織布や繊維束等（図示せず）を垂らし、毛細管現象で水１２が土壌１１に給水されるようにしても良い。
【００２７】
あるいは後記する負圧差潅水システムにより給水されるようにしても良い。この負圧差潅水システムは、仕切板４の上に設けた多孔質管（図示せず）と、底部が貯水部８内に収められるように設けた第２の貯水部としての有底容器（図示せず）と、この有底容器の底部近傍と多孔質管の一端とを連通した第１の配管（図示せず）と、上端を多孔質管の他端に連通し、下端を貯水部８の水中に配置した第２の配管（図示せず）とにより構成することができ、有底容器に注水すると、水は第１の配管と多孔質管、第２の配管内の空気を除去しながら貯水部８に流入するため、水で満たされた多孔質管を通して貯水部８の水が土壌１１に給水されるものである。
【００２８】
また、不織布の上にブラックシリカの粉末を積層し、さらにその上に他の不織布を載置して、これらの２枚の不織布を相互に固着してなる不織布シート１６を仕切板４の上に設けても良い。不織布を相互に固着する方法としては、熱融着、常温圧着、接着剤による接着などを用いることができるが、固着が容易で、剥離しにくい熱融着が特に好ましい。また不織布は、不織布に挟持されたブラックシリカ粉末がこぼれないように固着される必要がある。このように固着するために、不織布の周縁部分のみが固着されていても良いが、不織布に直線状の固着部分を一定の間隔おきに略平行に複数本設け、さらに、前記の直線状の固着部分に所定角度で交わるように、直線状の固着部分を一定の間隔おきに略平行に複数本設けるようにしても良い。このように固着すると、不織布が前記固着部分により区画され、四方を固着部分に囲まれた複数の区画の内部にブラックシリカ粉末が挟持されるので、ブラックシリカ粉末がシートからこぼれず、かつシート内でのブラックシリカ粉末の偏りを小さくすることができる。このような不織布シート１６を仕切板４の上に設けることで、土壌１１が仕切板４の小孔４ａ、４ａ…から貯水部８に落下するのを防ぎ、同時にブラックシリカ粉末から放出される遠赤外線により植物の生長を促進することができる。さらに、不織布シート１６は２枚以上の不織布を相互に固着したものであっても良い。
【００２９】
次に本発明に係る第２の実施の形態について説明する。この実施の形態は、複数の栽培用容器１を連結させたものである。図２（ａ）は第２の実施の形態に係る栽培用容器の構造を示す平面図、図２（ｂ）は第２の実施の形態に係る栽培用容器に土壌と水を入れた状態における、（ａ）に示すＢ−Ｂ線の縦断面図である。なお、図１で示した同じ部材には、同じ符号を付して説明を省略する。
【００３０】
栽培用容器１の連結機構１７は、側板３に設けられた固定口１７ａと、この固定口１７ａを介して係合するための固定用トラスネジ１７ｂおよび固定用袋ナット１７ｃを備え、隣接する２枚の側板３を連結するものである。この連結機構１７は、側板３を連結することができる構造であれば良く、例えば、側板３と隣接する他の栽培用容器１の側板３をクランプ等（図示せず）により挟持させて連結する構造としても良い。
【００３１】
また連通路２０は、仕切板４と底板２との間の位置で側板３に設けられ、連結した栽培用容器１の貯水部８を連通するように形成されている。なお、使用するときには、連結した栽培用容器１の外周にある側板３の連通路２０をプラグ２１で塞ぎ、水が貯水部８の内部に貯留される構造としている。このように、四方の側板３に連通路２０を設けた複数の栽培用容器１を並べ、外周の側板３の連通路２０を閉塞しても良いが、一方あるいは二方の側板３に連通路２０が設けられていない栽培用容器１を外周部分あるいはコーナー部分に設置して、水が貯水部８の内部に貯留されるようにしても良い。
【００３２】
前記の連結機構１７により、複数の栽培用容器１を連結して任意の広さの栽培スペースを形成することができる。また勾配や段差のある所に設置する場合は、脚部６の高さ調節機構１３を介して栽培用容器１の高さと水平を調節すると、隣接する栽培用容器同士の高さを一致させて、水平に設置できる。また栽培用容器１を水平に設置してあるので、連通路２０を通して水が移動し、連結した栽培用容器１の貯水部８の水位を均一にすることができ、全ての栽培用容器１にまんべんなく散水しなくても、土壌１１に均一に給水される。さらに連通路２０の上にオーバーフロー口２２を設け、貯水部８の内部の水を所定の水位以下に保つことができる構造としている。これにより、栽培部７に大量の水が散水されても、貯水部８の水が所定水位を超えるとオーバーフロー口２２から排水されるので、土壌１１の下部が水に浸らず、栽培する植物の根腐れを防ぐことができる。また、各貯水部８の内部の空気がオーバーフロー口２２を通して移動するので、連通路２０を通して水を移動しやすくすることができる。
【００３３】
次に本発明に係る第３の実施の形態について説明する。この実施の形態は、側板３に側面板２３が取り付けられたものである。図３（ａ）は第３の実施の形態に係る栽培用容器を連結させ側面板を設置した状態を示す斜視図、図３（ｂ）は第３の実施の形態に係る栽培用容器に土壌と水を入れた状態における、（ａ）に示すＣ−Ｃ線の縦断面図である。なお、図１および図２で示した同じ部材には、同じ符号を付して説明を省略する。
【００３４】
側板３には、側面板２３がこの側板３より上に突出するように設けられ、結合手段である固定用トラスネジ１８ｂと固定用袋ナット１８ｃを介して結合されている。この実施の形態では水平方向の長さが側板３と略同一の側面板２３を各側板３に取り付けてあるが、栽培用容器１を連結して形成される栽培スペースの外周を隙間なく囲うことができれば、他の形状および寸法の側面板２３でも良く、また複数の栽培用容器１にまたがって取り付けられていても良い。例えば、栽培スペースの外周の形状に合わせて作成した一体の側面板（図示せず）が取り付けられていても良く、また栽培スペースの外周部の各面に、その面と同一の水平方向の長さを有する側面板（図示せず）が一枚ずつ取り付けられるようにしても良い。
【００３５】
また側板３は、固定口１８ａより下の位置において栽培用容器１の外側に凸設された肩部３ｂを備えている。そして、連結された栽培用容器１のコーナー部分に設置された栽培用容器１は、コーナー部分の直交する２枚の側板３に肩部３ｂを備え、またコーナー以外の外周部分に設置された栽培用容器１は、外周部分の側板３に肩部３ｂを備えている。このように設けられた肩部３ｂの上端に、下端が接する様に側面板２３を取り付けることで、側面板２３に上方から荷重がかかった際には、肩部３ｂによって側面板２３を下方から支えることができる。
【００３６】
側板３には、この側板３より上に突出するように、任意の高さの側面板２３を取り付けられるので、所望の深さで土壌が入れられる栽培用容器１にすることができる。また栽培部７に側板の上端部３ｄより高く土壌を盛ると、土壌１１は側板の上端部３ｄの上にも堆積し、側板の上端部３ｄは土壌１１内に埋没する。そして土壌１１は、側板の上端部３ｄより上方に突出して設けられた側面板２３に支えられる。そのため土壌１１は側面板２３に囲まれ、栽培用容器１からこぼれるのを防ぐことができると同時に、栽培スペース内部に側板３が突出せず、側面板２３に囲まれた一連の栽培スペースを形成することができる。なお、この栽培用容器１を使用することで、芝生を屋上に平坦に敷設でき、また長期間にわたって芝生を枯らすことなく栽培することができる。
【００３７】
【発明の効果】
本発明の栽培用容器によれば、脚部の底板からの突出高さを調節する高さ調節機構を有するので、勾配や段差のあるところにも水平に設置できる。また設置面と栽培用容器の底面に間隙が形成されるので、屋上やベランダ等の防水加工を劣化させることなく設置できる。さらに前記のような特徴をもつので、屋上やベランダだけでなく、屋内や階段、坂道等のあらゆる所に設置できる植物の栽培用容器を提供することができる。またブラックシリカ粉末を挟持する不織布シートを仕切板の上に備えるので、栽培部から貯水部に土壌が落下するのを防ぐと同時に、植物の生長を促進する栽培用容器を提供することができる。
【００３８】
さらに側板は、対面して隣接する栽培用容器の側板を連結する連結構造を有するので、脚部の突出高さを調節して、隣接する栽培用容器と高さを一致させることで、勾配、段差があるところにも複数の栽培用容器を連結して、所望の広さの栽培スペースを形成することができる。また連結した栽培用容器の貯水部を連通させる連通路を有するので、栽培用容器を水平に設置することで、貯水部内の水位が均一になり、貯水部の水を栽培スペース内の土壌に均一に給水することができる。さらに側板は、当該側板より上方に突出する任意の高さの側面板を備えるので、栽培用容器内に盛る土壌の深さを自由に設定することができ、また複数の栽培用容器を連結しても、栽培スペース内で各栽培用容器の側板が土壌から突出せず、側面板によって囲まれた一連の栽培スペースを形成することができる。
【図面の簡単な説明】
【図１】（ａ）は第１の実施の形態に係る栽培用容器の構造を示す部分破断斜視図、（ｂ）は（ａ）に示すＡ−Ａ線の縦断面図である。
【図２】（ａ）は第２の実施の形態に係る栽培用容器の構造を示す平面図、（ｂ）は第２の実施の形態に係る栽培用容器に土壌と水を入れた状態における、（ａ）に示すＢ−Ｂ線の縦断面図である。
【図３】（ａ）は第３の実施の形態に係る栽培用容器を連結させ側面板を設置した状態を示す斜視図、（ｂ）は第３の実施の形態に係る栽培用容器に土壌と水を入れた状態における、（ａ）に示すＣ−Ｃ線の縦断面図である。
【符号の説明】
１      栽培用容器
２      底板
２ａ    支柱
３      側板
３ａ    段差部
４      仕切板
４ａ    小孔
６      脚部
１３    高さ調節機構
１６    不織布シート
１７    連結機構
２０    連通路
２３    側面板
【図１】
2005013026.tif 000003
【図２】
2005013026.tif 000004
【図３】
2005013026.tif 000005